(57)【要約】【課題】  モバイル・マルチメディアシステムにおいて、各メディアのＱｏＳに応じた伝送方式を適応的に設定する。【解決手段】  格納するマルチメディアの種類を識別する識別情報がそれぞれ付加された複数のパケットを生成し、複数のパケットを多重化する多重化装置１３と、マルチメディアを伝送する無線伝送路の伝送路品質と識別情報に基づいて、多重化された複数のパケットの変調に適用する変調多値数をパケット毎に制御する制御装置１５ａとを備える。【選択図】  図１
2006222566.tif 000002
【特許請求の範囲】
【請求項１】
複数種類の入力ストリームに基づき、前記複数種類の入力ストリームの種類を識別する識別情報を含むヘッダがそれぞれ付加された複数種類のパケットを生成し、前記複数種類のパケットを多重化して多重化ストリームを生成する多重化装置と、
前記多重化ストリームに対して誤り訂正符号化及び変調を施す変調装置と、
無線伝送路の伝送路品質と前記識別情報に基づいて、前記誤り訂正符号化の符号化方式及び前記変調の変調方式をパケット毎に制御する制御装置
とを備えることを特徴とする無線通信装置。
【請求項２】
前記変調装置は、
前記多重化ストリームをｍ本のパラレル信号に変換するシリアル・パラレル変換装置と（ｍ；２以上の整数）、
前記ｍ本のパラレル信号のうちｍ1本のパラレル信号に対して前記誤り訂正符号化を行う誤り訂正符号化器と（０≦ｍ1≦ｍ）、
前記誤り訂正符号化後のパラレル信号と、ｍ−ｍ1本のパラレル信号をマッピングするマッピング装置
とを備えることを特徴とする請求項１に記載の無線通信装置。
【請求項３】
前記誤り訂正符号化器は、前記ｍ1本のパラレル信号に対して符号化率ｍ1／（ｍ1＋1）の畳み込み符号化を行い、
前記マッピング装置は、前記畳み込み符号化後のパラレル信号と、前記ｍ−ｍ1本のパラレル信号を多値変調マッピングすることを特徴とする請求項２に記載の無線通信装置。
【請求項４】
前記変調装置は、
前記多重化ストリームをそれぞれ第１速度を有するｍ1本のパラレル信号、及びそれぞれ第２速度を有するｍ−ｍ1本のパラレル信号に変換するシリアル・パラレル変換装置と（ｍ；２以上の整数）（０≦ｍ1≦ｍ）、
前記ｍ1本のパラレル信号に対して前記誤り訂正符号化を行う誤り訂正符号化器と、
前記誤り訂正符号化後のパラレル信号と、前記ｍ−ｍ1本のパラレル信号をマッピングするマッピング装置
とを備えることを特徴とする請求項１に記載の無線通信装置。
【請求項５】
前記変調装置は、
前記多重化ストリームをそれぞれ第１速度を有するｍ1本のパラレル信号、及びそれぞれ第２速度を有するｍ−ｍ1本のパラレル信号に変換するシリアル・パラレル変換装置と（ｍ；２以上の整数）（０≦ｍ1≦ｍ）、
前記ｍ1本のパラレル信号に対して、符号化率ｒの畳み込み符号又はターボ符号化を行う誤り訂正符号化器と（ｍ1／（ｍ1＋１）＜ｒ＜１）、
前記畳み込み符号又はターボ符号化後のパラレル信号と、前記ｍ−ｍ1本のパラレル信号を多値変調マッピングするマッピング装置
とを備えることを特徴とする請求項１に記載の無線通信装置。
【請求項６】
プロセッサを具備する端末装置に対して、基地局装置を介して多重化ストリームを送信するサーバ装置を備える送信システムであって、前記サーバ装置は、
複数種類のデータを情報源符号化する情報源符号化装置と、
前記情報源符号化された前記複数種類のデータに第１の誤り訂正符号化を施して複数種類の入力ストリームを生成する誤り訂正符号化装置と、
前記複数種類の入力ストリームの種類を識別する識別情報を含むヘッダがそれぞれ付加された複数種類のパケットを生成し、前記複数種類のパケットを多重化して前記多重化ストリームを生成する多重化装置と、
前記端末装置から前記基地局装置を介して送信される制御信号に基づいて、前記情報源符号化の符号化方式及び符号化パラメータ、前記第１の誤り訂正符号化の符号化方式及び訂正能力のいずれか、あるいは、いずれかの組み合わせを制御する第１の制御装置
とを備え、前記基地局装置は、
前記サーバ装置からの前記多重化ストリームに対して第２の誤り訂正符号化及び変調を施す変調装置と、
無線伝送路の伝送路品質と前記識別情報に基づいて、前記第２の誤り訂正符号化の符号化方式及び前記変調の変調方式をパケット毎に制御する第２の制御装置
とを備え、前記端末装置は、前記プロセッサの処理演算量と許容演算処理能力の比較により前記制御信号を生成することを特徴とする送信システム。
【発明の詳細な説明】
【技術分野】
【０００１】
本発明は、無線伝送技術に関し、特に無線によるマルチメディア伝送に利用される無線通信装置及び送信システムに関する。
【背景技術】
【０００２】
高速無線伝送を実現するには、多値変調方式は有効な手段の１つである。多値変調方式をモバイル環境に適用する場合、変調多値数が多くなるに連れてフェージング等の劣化要因によって伝送路品質が悪くなる状況が頻繁に起きる。このような問題点を解決する手段として適応変調方式が注目されている（例えば、特許文献１参照。）。適応変調方式とは、伝送路品質の良い時は高い変調多値数の変調方式で伝送し、伝送路品質が悪い時には低い変調多値数の変調方式で伝送する方式である。
【０００３】
一方、映像及び音声／オーディオ等のマルチメディア伝送は、モバイル環境における高速伝送の有力なアプリケーションの１つであり、第３世代移動通信システム（ＩＭＴ−２０００）における低速度のテレビ電話や映像・ストリーミングサービス等でも実現されている。映像ストリーム、音声／オーディオストリーム、及びデータストリーム等を適応変調システムで伝送するための具体的な検討では、各データを各変調方式の信号点や物理層のフレームに直接ビットマッピングするものが殆どであった。
【０００４】
即ち、映像ストリームを適応変調方式で伝送する場合、映像ストリームのうちの誤りに敏感なビットを各変調方式における信号点のうちの誤りにくいビットに配置し、誤りに敏感でないビットを各信号点の誤り易いビットに対応させて、受信した映像品質の劣化を最小限に抑える方式が提案されている。また、無線伝送方式の物理層のフレームに映像ストリームが直接マッピングされ、そのフレームが適応変調によって伝送される方式が提案されている（例えば、非特許文献１参照。）。
【０００５】
しかしながら、通常のモバイル・マルチメディアシステムにおいては、映像ストリーム、音声／オーディオストリーム、及びデータストリーム等を、先ずマルチメディア多重化し、その後多重化された各ストリームが物理層のフレームにマッピングされて適応変調により伝送される。よって、映像ストリーム、音声／オーディオストリーム、及びデータストリーム等をマルチメディア多重化せずに、直接物理層のフレームや変調信号点にマッピングする方法は現実的ではない。更に、それぞれ異なる要求サービス品質（ＱｏＳ）を有する映像ストリーム、音声／オーディオストリーム、及びデータストリーム等が、同一のフォーマットで同一伝送路上に混在して伝送されるため、各メディアに対して最適な伝送方式を適応的に設定する手法の確立が望まれている。
【特許文献１】特開平９−１３５２７５号公報
【非特許文献１】P.Cherriman, E.L.Kuan and L.Hanzo, ‘Burst-by-Burst Adaptive Joint-Detection CDMA/H.263 Based Video Telephony, IEEE Trans. Circ. and Sys. for Video Technol., Vol.12, No.5, May 2002, pp.342-348
【発明の開示】
【発明が解決しようとする課題】
【０００６】
本発明は、モバイル・マルチメディアシステムにおいて、各メディアのＱｏＳに応じた伝送方式を適応的に設定可能な無線通信装置及び送信システムを提供する。
【課題を解決するための手段】
【０００７】
本発明の一態様は、複数種類の入力ストリームに基づき、複数種類の入力ストリームの種類を識別する識別情報を含むヘッダがそれぞれ付加された複数種類のパケットを生成し、複数種類のパケットを多重化して多重化ストリームを生成する多重化装置と、多重化ストリームに対して誤り訂正符号化及び変調を施す変調装置と、無線伝送路の伝送路品質と識別情報に基づいて、誤り訂正符号化の符号化方式及び変調の変調方式をパケット毎に制御する制御装置とを備える無線通信装置であることを要旨とする。
【０００８】
本発明の一態様は、プロセッサを具備する端末装置に対して、基地局装置を介して多重化ストリームを送信するサーバ装置を備える送信システムであって、サーバ装置は、複数種類のデータを情報源符号化する情報源符号化装置と、情報源符号化された複数種類のデータに第１の誤り訂正符号化を施して複数種類の入力ストリームを生成する誤り訂正符号化装置と、複数種類の入力ストリームの種類を識別する識別情報を含むヘッダがそれぞれ付加された複数種類のパケットを生成し、複数種類のパケットを多重化して多重化ストリームを生成する多重化装置と、端末装置から基地局装置を介して送信される制御信号に基づいて、情報源符号化の符号化方式及び符号化パラメータ、第１の誤り訂正符号化の符号化方式及び訂正能力のいずれか、あるいは、いずれかの組み合わせを制御する第１の制御装置とを備え、基地局装置は、サーバ装置からの多重化ストリームに対して第２の誤り訂正符号化及び変調を施す変調装置と、無線伝送路の伝送路品質と識別情報に基づいて、第２の誤り訂正符号化の符号化方式及び変調の変調方式をパケット毎に制御する第２の制御装置とを備え、端末装置は、プロセッサの処理演算量と許容演算処理能力の比較により制御信号を生成する送信システムであることを要旨とする。
【発明の効果】
【０００９】
本発明によれば、モバイル・マルチメディアシステムにおいて、各メディアのＱｏＳに応じた伝送方式を適応的に設定可能な無線通信装置及び送信システムを提供できる。
【発明を実施するための最良の形態】
【００１０】
次に、図面を参照して、本発明の第１及び第２実施形態を説明する。以下の第１及び第２実施形態における図面の記載において、同一又は類似の部分には同一又は類似の符号を付している。
【００１１】
（第１実施形態）
本発明の第１実施形態に係る無線通信装置は、図１に示すように、アンテナ２、デュプレクサ３、送信部１、受信部４、映像符号化器１１、音声／オーディオ符号化器１２、多重化装置１３、分離装置４３、映像復号器４４、及び音声／オーディオ復号器４５を備える。送信部１は、変調装置１４ａ、制御装置１５ａ、及び第１高周波（ＲＦ）部１６、及び伝送路推定装置１７を備える。多重化装置１３の入力は映像符号化器１１及び音声／オーディオ符号化器１２のそれぞれの出力に接続される。制御装置１５ａの入力は多重化装置１３及び伝送路推定装置１７のそれぞれの出力に接続される。変調装置１４ａの入力は多重化装置１３及び制御装置１５ａのそれぞれの出力に接続される。第１ＲＦ部１６の入力は変調装置１４ａの出力に接続される。多重化装置１３は、複数種類の入力ストリームに基づき、複数種類の入力ストリームの種類を識別する識別情報を含むヘッダがそれぞれ付加された複数種類のパケットを生成し、複数種類のパケットを多重化して多重化ストリームを生成する。ここで、「入力ストリーム」とは、例えば映像ストリーム、音声／オーディオストリーム、又はデータストリーム等を意味する。「識別情報」としては、ムービング・ピクチャ・エキスパート・グループ（ＭＰＥＧ）２−トランスポート・ストリーム（ＴＳ）においてはパケット識別子（ＰＩＤ）が利用可能であり、リアルタイム・トランスポート・プロトコル（ＲＴＰ）においてはペイロード・タイプ（ＰＴ）が利用できる。変調装置１４ａは、多重化ストリームに対して誤り訂正符号化及び変調を施す。制御装置１５ａは、無線伝送路の伝送路品質と識別情報に基づいて、誤り訂正符号化の符号化方式及び変調の変調方式をパケット毎に制御する。
【００１２】
第１ＲＦ部１６は、変調装置１４ａの出力信号をアップコンバートして送信信号を生成する。伝送路推定装置１７は、伝送路の品質を推定して伝送路推定値βを制御装置１５ａに供給する。受信部４は第２ＲＦ部４１及び復調装置４２を備える。復調装置４２の入力は第２ＲＦ部４１の出力に接続される。分離装置４３の入力は復調装置４２の出力に接続される。第２ＲＦ部４１は、アンテナ２が受信した受信信号をダウンコンバートする。復調装置４２は、ダウンコンバートされた受信信号を復調及び誤り訂正復号する。復調装置４２は、例えば、受信信号の振幅値を検出するための振幅検出部を具備し、振幅検出部で検出された受信振幅値は伝送路推定装置１７に伝達される。伝送路推定装置１７は、受信振幅値に基づいて無線伝送路の伝送路の品質を推定する。
【００１３】
或いは、相手無線通信装置の受信信号の振幅値に基づいて、無線伝送路の伝送路の品質を推定しても良い。この場合、相手無線通信装置が、受信状態の情報を図１に示す無線通信装置に送信する必要がある。尚、相手無線通信装置とは、図１に示す無線通信装置が基地局装置に実装される場合は端末装置を意味し、図１に示す無線通信装置が端末装置に実装される場合は基地局装置を意味する。
【００１４】
また、映像符号化器１１は、映像データを情報源符号化して映像ストリームを生成する。音声／オーディオ符号化器１２は、音声／オーディオデータを情報源符号化して音声／ストリームを生成する。映像符号化器１１としては、ＭＰＥＧ２、ＭＰＥＧ４、又はＨ．２６４等の情報源符号化方式に準拠した映像符号化器が使用できる。音声／オーディオ符号化器１２としては、ＭＰＥＧ２、ＭＰＥＧ４、ITU-TG.700シリーズ、AMR等に準拠した音声／オーディオ符号化器が使用できる。
【００１５】
多重化装置１３は、例えば図２に示すようなＭＰＥＧ２−ＴＳに準拠した多重化ストリームを生成する。ＭＰＥＧ２−ＴＳは、ＭＰＥＧ２−ＴＳパケット（以下において単に「ＴＳパケット」という。）により構成される。尚、ＭＰＥＧ２−ＴＳにおいては、映像ストリーム、音声／オーディオストリーム、及びデータストリーム等のストリームを格納するパケットＰ５〜Ｐ１１に加えて、付加情報テーブルを格納したパケットが挿入される。図２に示す例においては、パケットＰ１はプログラム・アソシエーション・テーブル（ＰＡＴ）を格納し、パケットＰ２及びＰ３はプログラム・マップ・テーブル（ＰＭＴ）を格納し、パケットＰ４はコンディショナル・アクセス・テーブル（ＣＡＴ）を格納する。
【００１６】
ＰＡＴには、図３（ａ）に示すように、プログラム（番組）毎のＰＭＴを伝送しているＴＳパケットのＰＩＤが記述される。ＣＡＴは、図３（ｂ）に示すように、復号・再生の制限を行うためにスクランブルされたストリームを、許可されたユーザが復号・再生するための付属テーブルである。ＰＭＴには、図４及び図５に示すように、プログラム（番組）の識別番号と、プログラム（番組）を構成する映像及び音声／オーディオ等の個別ストリームが伝送されるＴＳパケットのＰＩＤのリスト及び付属情報が記述される。
【００１７】
更に、各ＴＳパケットは図６に示すように、１３ビットのＰＩＤを含むヘッダと、アダプテーションフィールド／ペイロードＢ９により構成される。アダプテーションフィールド／ペイロードＢ９には、映像ストリーム、音声／オーディオストリーム、又はデータストリーム等が格納される。ヘッダには、８ビット（１バイト）の同期バイトＢ１、１ビットの誤り表示Ｂ２、１ビットのユニット開始表示Ｂ３、１ビットのパケット優先度Ｂ４、２ビットのスクランブル制御Ｂ６、２ビットのアダプテーションフィールド制御Ｂ７、及び４ビットの巡回カウンタＢ８等のデータが含まれる。
【００１８】
同期バイトＢ１は、ＴＳパケットの先頭を検出するためのデータである。誤り表示Ｂ２は、ＴＳパケット中のビット・エラーの有無を示すデータである。ユニット開始表示Ｂ３は、新たなパケット化エレメンタリストリームがペイロードから開始されることを示すデータである。パケット優先度Ｂ４は、ＴＳパケットの重要度を示すデータである。スクランブル制御Ｂ６は、ＴＳパケットにおけるペイロードのスクランブルの有無を示すデータである。アダプテーションフィールド制御Ｂ７は、ＴＳパケットにおけるアダプテーションフィールド／ペイロードの有無を示すデータである。巡回カウンタＢ８は、同一のＰＩＤを有するＴＳパケットが途中で一部破棄されたか否かを示すデータである。
【００１９】
更に、図１に示す制御装置１５ａは、例えば、図７（ａ）に示す第１テーブル及び図７（ｂ）に示す第２テーブルを備える。第１テーブルは、映像ストリームを格納するＴＳパケット（以下において、単に「映像パケット」という。）に関して、伝送路推定値βと変調多値数との対応関係を規定している。これに対して第２テーブルは、音声／オーディオストリームを格納するＴＳパケット（以下において、単に「音声／オーディオパケット」という。）に関して、伝送路推定値βと変調多値数との対応関係を規定している。詳細には、第１テーブルには、第１映像パケット用基準値ｗ1、第２映像パケット用基準値ｗ2、及び第３映像パケット用基準値ｗ3が記憶されている。第２テーブルには、第１音声／オーディオパケット用基準値ｕ1、第２音声／オーディオパケット用基準値ｕ2、及び第３音声／オーディオパケット用基準値ｕ3が記憶されている。
【００２０】
また、制御装置１５ａは、多重化装置１３からのＴＳパケットが映像パケットであると判定した場合、伝送路推定値βを第１映像パケット用基準値ｗ1、第２映像パケット用基準値ｗ2、及び第３映像パケット用基準値ｗ3と比較する。図７（ａ）に示すように、伝送路推定値βが第１映像パケット用基準値ｗ1以下である場合、２相位相偏移変調（ＢＰＳＫ）方式が選択される。伝送路推定値βが、第１映像パケット用基準値ｗ1より大きく、且つ、第２映像パケット用基準値ｗ2以下である場合、４相（直交）位相変調（ＱＰＳＫ）方式が選択される。伝送路推定値βが、第２映像パケット用基準値ｗ2より大きく、且つ、第３映像パケット用基準値ｗ3以下である場合、１６直交振幅変調（ＱＡＭ）方式が選択される。伝送路推定値βが、第３映像パケット用基準値ｗ3より大きい場合、６４ＱＡＭ方式が選択される。
【００２１】
音声／オーディオパケットについても映像パケットの場合と同様にして変調多値数が制御される。このようにして、伝送路推定値β及び各パケットのＱｏＳに応じて適用的に変調多値数が制御される。この結果、伝送路品質が良好なほど、大きい変調多値数を用いることで、伝送レートが高速化される。
【００２２】
一方、受信時おいて分離装置４３は、復調された多重化ストリームを受け取り、多重化ストリームを構成するＴＳパケットのヘッダに記載されているＰＩＤを検出する。分離装置４３は、検出されたＰＩＤから、ＴＳパケットのペイロードに含まれるストリームのメディアの種類を判断する。例えば、図２に示す多重化ビットストリームの構成である場合、ＰＩＤが“２１”であれば番組１の映像ストリーム、ＰＩＤが“２２”であれば番組1の音声／オーディオストリーム、ＰＩＤが３７であれば番組２の映像ストリーム、ＰＩＤが“３８”であれば番組２の音声／オーディオストリームと判断される。
【００２３】
映像ストリームは映像復号器４４に、音声／オーディオストリームは音声／オーディオ復号器４５にそれぞれ伝達される。図１に示す無線通信装置が端末装置に実装される場合、映像復号器４４は映像ストリームを復号化して、例えば図示を省略する表示装置等に伝達する。音声／オーディオ復号器４５は音声／オーディオストリームを復号化して、例えば図示を省略するスピーカ等に伝達する。
【００２４】
次に、図８に示すフローチャートを参照して、第１実施形態に係る無線通信装置の送信動作を説明する。但し、送信するメディアが映像及び音声／オーディオである場合を例に説明する。
【００２５】
（イ）ステップＳ１１において、図１に示す映像符号化器１１及び音声／オーディオ符号化器１２は、映像ストリーム及び音声／オーディオストリームをそれぞれ生成する。映像ストリーム及び音声／オーディオストリームは多重化装置１３に伝達される。
【００２６】
（ロ）ステップＳ１２において、多重化装置１３は、映像ストリーム及び音声／オーディオストリームをパケット化・多重化して多重化ストリームを生成する。
【００２７】
（ハ）ステップＳ１３において、伝送路推定装置１７は、伝送路品質を推定して伝送路推定値βを制御装置１５ａに供給する。尚、ステップＳ１３の処理は、ステップＳ１１、Ｓ１２、又はＳ１４と同時に行われても良い。
【００２８】
（ニ）ステップＳ１４において、制御装置１５ａは、多重化ストリームを構成する各ＴＳパケットのヘッダに含まれるＰＩＤに基づいて、各ＴＳパケットのペイロードに格納されるメディアの種類を判定する。
【００２９】
（ホ）ステップＳ１５において、制御装置１５ａは、ステップＳ１４で判定した各ＴＳパケットが格納するメディアの種類の情報に応じて、図７（ａ）及び（ｂ）に示す第１及び第２テーブルのいずれかと、ステップＳ１３で取得した伝送路推定値βとを比較して、ＴＳパケット毎に変調多値数を決定する。
【００３０】
（ヘ）ステップＳ１６において、変調装置１４ａは、制御装置１５ａがＴＳパケット毎に決定した変調多値数を用いて、誤り訂正符号化後に各ＴＳパケットを変調する。
【００３１】
（ト）ステップＳ１７において、第１ＲＦ部１６は、変調された多重化ストリームをアップコンバートして、デュプレクサ３及びアンテナ２を介して相手通信装置に送信する。
【００３２】
次に、図９に示すフローチャートを参照して、第１実施形態に係る無線通信装置の受信動作を説明する。但し、受信するメディアが映像及び音声／オーディオである場合を例に説明する。
【００３３】
（イ）ステップＳ２１において、図１に示す第２ＲＦ部４１は、アンテナ２が受信した受信信号をダウンコンバートして復調装置４２に伝達する。
【００３４】
（ロ）ステップＳ２２において、復調装置４２は、ダウンコンバートされた受信信号に対して復調及び誤り訂正復号を施す。この結果、多重化ストリームが生成され、多重化ストリームは分離装置４３に伝達される。
【００３５】
（ハ）ステップＳ２３において、分離装置４３は、多重化ストリームを構成する各ＴＳパケットのヘッダに記載されているＰＩＤを検出し、検出されたＰＩＤから、各ＴＳパケットのペイロードに含まれるメディアの種類を判断する。
【００３６】
（ニ）ステップＳ２３において、分離装置４３は、この結果、各ＴＳパケットから映像ストリーム及び音声／オーディオストリームを抽出し、映像ストリーム及び音声／オーディオストリームを映像復号器４４及び音声／オーディオ復号器４５にそれぞれ伝達する。
【００３７】
（ホ）ステップＳ２４において、映像復号器４４及び音声／オーディオ復号器４５は、映像ストリーム及び音声／オーディオストリームをそれぞれ復号する。
【００３８】
このように、第１実施形態に係る無線通信装置によれば、無線伝送中に、無線伝送路の伝送路品質を推定し、推定結果に基づいて各メディアのＱｏＳに応じた伝送方式を適応的に設定しているため、最適な状態で多重化ストリームを伝送できる。例えば、同一の伝送路推定値βについて、音声／オーディオストリームを格納したＴＳパケットと、映像ストリームを格納したＴＳパケットとでは、異なる適応変調を施すことが可能となる。したがって、マルチパス・フェージング及びシャドウイング等が存在する劣悪な環境下であっても、ＱｏＳを満たしつつ、高い周波数利用率で多重化ストリームを無線伝送することが可能となる。
【００３９】
（第１実施形態の第１変形例）
本発明の第１実施形態の第１変形例として、図１に示す多重化装置１３が、図１０に示すＲＴＰパケットを生成する構成でも良い。ＲＴＰは、ストリーム型の実時間メルチメディア通信に使用されるプロトコルである。図１に示す制御装置１５ａは、ＲＴＰパケットのヘッダに含まれるＰＴを検出し、各ＲＴＰパケットに格納されるメディアの種類を識別する。ＰＴには、リクエスト・フォー・コメント（ＲＦＣ）１８９０によって規定されたＰＴ値と符号化方式の対応に基づく値、又はセッション記述プロトコル（ＳＤＰ）によって動的に割り当てられたＰＴ値と符号化方式の対応に基づく値が書き込まれる。
【００４０】
また、ＲＴＰパケットは、図１０に示すように、ＰＴを含むヘッダと、拡張ヘッダ／ペイロードＢ２０を有する。更に、ヘッダには、バージョンＢ１１、パディングＢ１２、拡張Ｂ１３、寄与送信元（ＣＳＲＣ）数Ｂ１４、マーカーＢ１５、順序番号Ｂ１７、タイムスタンプＢ１８、及び同期源識別子（ＳＳＲＣ）／ＣＳＲＣ識別子Ｂ１９等のデータが含まれる。バージョンＢ１１は、ＲＴＰのバージョン番号を示すデータである。パディングＢ１２は、ペイロードＢ２０の最後に埋め込みデータが付加されているかを示すデータである。拡張Ｂ１３は、ヘッダ拡張があることを示すデータである。ＣＳＲＣ数Ｂ１４は、複数のデータ源のデータを１つのＲＴＰパケットにしたときの個々のデータ源の識別子を示すデータである。マーカーＢ１５は、始まりや終了の境界を示すデータである。順序番号Ｂ１７は、ＲＴＰデータパケットの順序を示すデータである。タイムスタンプＢ１８は、ＲＴＰデータパケットの最初のバイトのサンプリング時刻を示すデータである。ＳＳＲＣ／ＣＳＲＣ識別子Ｂ１９は、送信元の識別子又は１つのパケットのペイロードに入っているすべてのデータの識別子を示すデータである。
【００４１】
第１実施形態の第１変形例に係る無線通信装置によれば、多重化装置１３から得られる各ＲＴＰパケットの種類、即ちペイロードに格納されるストリームのメディアの種類が映像及び音声／オーディオのいずれかであるかをＰＴにより識別できる。したがって、ＭＰＥＧ２−ＴＳに限らず、ＲＴＰを利用する場合についても、ＲＴＰパケット毎に適切な変調多値数を設定できる。
【００４２】
（第１実施形態の第２変形例）
本発明の第１実施形態の第２変形例に係る変調装置１４ｂは、図１１に示すように、変換装置１４１ａ、誤り訂正符号化器１４２ａ、及びマッピング装置１４３ａを備える。変換装置１４１ａ、誤り訂正符号化器１４２ａ、及びマッピング装置１４３ａのそれぞれは、制御装置１５ｂに接続される。制御装置１５ｂは、伝送路推定値βと各パケットのＰＩＤに基づいて、誤り訂正符号化器１４２ａの符号化率及びマッピング装置１４３ａの変調多値数をパケット毎に制御する。尚、誤り訂正符号化器１４２ａとしては、ＢＣＨ符号、リード・ソロモン（ＲＳ）符号、畳み込み符号、ターボ符号、又は低密度パリティチェック（ＬＤＰＣ）符号等の誤り訂正符号化方式を適用可能である。その他の構成については図１と同様である。
【００４３】
また、図１に示す多重化装置１３からの各パケットのパケット長をＤとし、多重化ストリームＣ＝（ｃ1，ｃ2，・・・，ｃD）とする。変換装置１４１ａは、多重化ストリームをｍ本のパラレル信号に変換する（ｍ；２以上の整数）。ｍ本のパラレル信号のうち、ｍ1本のパラレル信号ＺC＝（ｚc,1，ｚc,2，・・・，ｚc,L）は誤り訂正符号化器１４２ａに供給され、残る（ｍ−ｍ1）本のパラレル信号Ｚp＝（ｚp,1，ｚp,2，・・・，ｚp,L）は、直接マッピング装置１４３ａに入力される（０≦ｍ1≦ｍ）。ここで、ＤとＬの間にはＤ＝ｍＬの関係が成り立つ。尚、ｍ1＝ｍの場合は、すべてのパラレル信号を誤り訂正符号化する手法に相当する。ｍ1本のパラレル信号Ｚcは、誤り訂正符号化器１４２ａにより符号化された後にマッピング装置１４３ａに入力される。この結果、ｍ2本のパラレル信号がマッピング装置１４３ａに入力される。
【００４４】
更に、誤り訂正符号に符号化率ｒ＝ｍ1／（ｍ1＋1）の畳み込み符号を適用した場合、Ungerboeck型の符号化変調方式を実現することができる。どの変調方式で変調されるかは、制御装置１５ｂからの指示によって選択された変調方式で変調され、ｍ2の値が変調多値数に相当する。即ち、多値変調として２m2値変調が実行される。尚、上記ｍ、ｍ1、及びｍ2のそれぞれの値は、制御装置１５ｂにより制御される。
【００４５】
例えば、ｍ1＝1、ｍ2＝（ｍ＋1）の場合について説明すると、以下のようになる。ここで、誤り訂正符号として符号化率ｒ＝１／２の最適畳み込み符号を用いた符号化変調を構成し、パラレル遷移の数によって変調多値数を設定できるシステムを考える。
【００４６】
また、伝送路モデルとしてレイリーフェージング（周波数非選択制且つ十分ゆっくりとした変動、位相変動は受信側で完全に捕捉）を仮定し、十分深いインタリーブを適用している場合を想定する。ＸL＝｛ｘ1，ｘ2，・・・，ｘL｝、Ｘ’L＝｛ｘ’1，ｘ’2，・・・，ｘ’L｝を長さＬの符号化シンボル系列、Ｐ（ＸL→Ｘ’L）をペアワイズ誤り率とすると、エラーイベント誤り率Ｐ（ｅ）の上界は以下のように求められる。
【数１】
2006222566.tif 000003
【００４７】
式（１）をフェージング伝送路の振幅ａiを用いて表現すると以下の式で与えられる。
【数２】
2006222566.tif 000004
【００４８】
最尤検波の受信機を仮定すると、Ｐ（ＸL→Ｘ’L|ａ1，ａ2，...，ａL）は、
【数３】
2006222566.tif 000005
【００４９】
で表すことができる。但し、ｄM2（ｘn，ｘ’n）は、２つの信号ｘnとｘ’nのユークリッド距離とする。ここで、
【数４】
2006222566.tif 000006
【００５０】
を用いると、式（３）は、
【数５】
2006222566.tif 000007
【００５１】
と表すことができる。式（５）をフェージング間隔で平均化すると、
【数６】
2006222566.tif 000008
【００５２】
となる。ここで、ｆRay（ａn）はレイリーフェージングのp.d.f.とする。
【００５３】
一方、図７（ａ）及び（ｂ）において、映像パケット用基準値ｗi（ｉ＝１，２）及び音声／オーディオパケット用基準値ｕi（ｉ＝１，２）と、伝送路推定値βとの関係で変調方式を設定する場合、変調方式をＱＰＳＫ、８ＰＳＫ、１６ＰＳＫの３種類で切り替えると仮定すると、ｗi、ｕi、βと式（６）のフェージング振幅ａiとの間には次のような関係が成り立つ。
【数７】
2006222566.tif 000009
【００５４】
例えば映像パケット用基準値ｗiについて考え、
【数８】
2006222566.tif 000010
【００５５】
とすると、式（６）の右辺は以下のように表すことができる。
【数９】
2006222566.tif 000011
【００５６】
よって、式（９）を式（６）に代入すると、エラーイベント誤り率は以下のように求められる。
【数１０】
2006222566.tif 000012
【００５７】
式（１０）の右辺はよく用いられる遷移関数で表現することができ、この時の遷移関数をＴW（（ＥS／Ｎ0），Ｉ）とすると、映像ストリームが格納されたパケットの平均ビット誤り率（ＢＥＲ）は、
【数１１】
2006222566.tif 000013
【００５８】
で求められる。ここで、ｍaveは平均情報ビット数、Ｐ||はトレリス符号化（ＴＣ）−８ＰＳＫ−８ＰＳＫ、ＴＣ−１６ＰＳＫのパラレル・トランジションの誤り率を表し、
【数１２】
2006222566.tif 000014
【００５９】
及び、
【数１３】
2006222566.tif 000015
【００６０】
となる。
【００６１】
また、音声／オーディオパケット用基準値ｕiの場合についても同様に、音声／オーディオストリームが格納されたパケットの平均ＢＥＲは式（１１）より、
【数１４】
2006222566.tif 000016
【００６２】
となる。
【００６３】
このように、第１実施形態の第２変形例によれば、式（１１）及び式（１４）から、第１実施形態の変調多値数の設定法を適用することで、各メディアのＱｏＳに応じた伝送方式が設定可能となる。この結果、平均ＢＥＲも各メディアのＱｏＳに応じた値を得ることができるようになる。したがって、誤り訂正符号化の具体的手法において、自由度が高く効率の良い符号化法を実現できる。
【００６４】
（第１実施形態の第３変形例）
本発明の第１実施形態の第３変形例に係る変調装置１４ｃは、図１２に示す構成を有する。符号化変調方式としては、トレリス符号化変調方式又はターボ符号化変調方式等が利用できる。トレリス符号化変調方式を利用する場合、誤り訂正符号化器１４２ｂとして、図１３に示すように、畳み込み符号化器１４２１及びパンクチャ化装置１４２２ａを備えるパンクチャド畳み込み符号を利用した構成が採用できる。これに対して、ターボ符号化変調方式を利用する場合、誤り訂正符号化器１４２ｃとして、図１４に示すように、第１符号化器１４２３、第２符号化器１４２５、インターリーバ１４２４、デインターリーバ１４２６、及びパンクチャ化装置１４２２ｂを備えるパンクチャド・ターボ符号を利用した構成が採用できる。その他の構成については図１と同様である。
【００６５】
多重化ストリームをＣ＝（ｃ1，ｃ2，・・・，ｃD）とすると、変換装置１４１ａは、第１速度Ｒ1を有する１本のパラレル信号ＺC＝（ｚc,1，ｚc,2，・・・，ｚc,L）と、第２速度Ｒ2を有する（ｍ−ｍ1）本のパラレル信号Ｚp＝（ｚp,1，ｚp,2，・・・，ｚp,L）を出力する。ここでDはＴＳパケット長に相当し、ＤとＬの間にはＤ＝ｍＬの関係が成り立つ。１本のパラレル信号ＺC＝（ｚc,1，ｚc,2，・・・，ｚc,L）は、畳み込み符号化又はターボ符号化が施され、その他ｍ−２本のパラレル信号Ｚp は直接マッピング装置１４３ｂに入力される。
【００６６】
図１２に示す制御装置１５ｃは、伝送路推定値βと各パケットのＰＩＤに基づいて、誤り訂正符号化器１４２ｂの符号化率及びマッピング装置１４３ｂの変調多値数をパケット毎に制御する。マッピング装置１４３ｂには、ｍ本のパラレル信号が入力され、ｍの値が変調多値数に相当する。即ち、多値変調として２m値変調が実行される。尚、ｍの値は制御装置１５ｃにより制御される。
【００６７】
また、誤り訂正符号化器１４２ｂには、変換装置１４１ｂからのパラレル信号のうちの１本が入力され、誤り訂正符号化器１４２ｂは２本のパラレル信号をマッピング装置１４３ｂに供給する。制御装置１５ｃは、最適な畳み込み符号又はターボ符号の符号化率rを決定する。
【００６８】
ここで、多重化ストリームの速度Ｒ、誤り訂正符号化器１４２ｂに入力される１本のパラレル信号の第１速度Ｒ1、及びマッピング装置１４３ｂに入力されるｍ本のパラレル信号のそれぞれの第２速度Ｒ2の関係は、
R1+(m-2)R2=mR                                     …（１５）
で表される。同様に第１速度Ｒ1及び第２速度Ｒ2は：
R1=2rR2                                               …（１６）
なる関係が成り立つので、式（１５）及び式（１６）から、第１速度Ｒ1及び第２速度Ｒ2はそれぞれ、次のように求められる。
【数１５】
2006222566.tif 000017
【数１６】
2006222566.tif 000018
【００６９】
このように、第１実施例の第３変形例に係る変調装置１４ｃによれば、トレリス符号化変調方式又はターボ符号化変調方式を適用することにより、誤り訂正符号化方式と変調方式を一体化できる。よって、効率の良い符号化と変調を実現可能であり、図１１に示す変調装置１４ｂよりも訂正能力及び設計自由度を向上させることができる。
【００７０】
（第２実施形態）
本発明の第２実施形態に係る送信システムは、図１５に示すように、サーバ装置５、基地局装置７、及び端末装置８を含む。サーバ装置５及び基地局装置７の間には通信網６が存在し、基地局装置７及び端末装置８の間には無線伝送路９が存在する。尚、通信網６としては、例えばＩＳＤＮ、ＣＡＴＶ、ＡＤＳＬ、アナログ専用線等の伝送路としてメタルケーブルを用いた網、或いは光ファイバを用いた網からなり、通信網６では、例えばＴＣＰ／ＩＰプロトコル用いて通信が行われる。
【００７１】
今後、１個の携帯端末で、音声・テレビ電話、テレビ放送受信、ビデオダウンロード、インターネット検索、画像・ビデオ加工処理、ゲーム等を行うことを可能とする多機能携帯端末の需要が高まるとされている。そして、ユーザにより望まれる機能は多様であり、ユーザニーズに柔軟に対応するため、機能をソフトウェアにより記述しプロセッサで実行することが適している。
【００７２】
一方、誤り訂正を行うにはビデオダウンロード機能の送信機（サーバ装置５）において、ビデオ蓄積器のビデオを情報源符号化で圧縮した後、蓄積器に収容したビット列に対して誤り訂正符号化器により誤り訂正符号化がなされていることが必要である。誤り訂正符号化方式として近年はターボ符号が強力な誤り訂正能力を有する利点から、利用されることが多い。ターボ符号で符号化されたビットストリームを、端末装置８が受信して誤り訂正する復号処理は、反復演算を必要として、多くの処理量を要し、この際、反復回数が多いほど誤り訂正能力は向上するが、演算量が増加する。
【００７３】
端末装置８が、ビデオダウンロードのみを実行している場合は、ターボ符号の反復演算処理を許容するとしても、ビデオダウンロードの実行中に、ビデオや画像の加工などの処理が入る場合では、ターボ符号の反復演算処理を許容できないことが考えられる。したがって、端末装置８において許容処理量が制限される場合、サーバ装置５は、要求条件に応じた適応制御を行う。
【００７４】
一例として、サーバ装置５は図１６に示すように、処理装置５１、ネットワークインタフェース５７、及びデータ記憶装置５２を備える。データ記憶装置５２は、それぞれマルチメディアデータを格納する複数のデータ記憶領域５２−１〜５２−ｎを備える（ｎ；２以上の整数）。処理装置５１は、読み出し制御部５１１、情報源符号化部５１２、誤り訂正部５１３、多重化部５１４、及び制御部５１４を備える。読み出し制御部５１１は、データ記憶装置５２からマルチメディアデータを読み出す。情報源符号化部５１２はマルチメディアデータを情報源符号化する。誤り訂正符号化部５１３は、情報源符号化されたマルチメディアデータに第１の誤り訂正符号化を施して複数種類の入力ストリームを生成する。多重化部５１４は、複数種類の入力ストリームの種類を識別する識別情報を含むヘッダがそれぞれ付加された複数種類のパケットを生成し、複数種類のパケットを多重化して多重化ストリームを生成する。制御部５１４は、図１５に示す端末装置８から基地局装置７を介して送信される制御信号に基づいて、情報源符号化の符号化方式及び符号化パラメータ、第１の誤り訂正符号化の符号化方式及び訂正能力のいずれか、あるいは、いずれかの組み合わせを制御する。尚、誤り訂正符号化部５１３は、ＲＳ符号又はターボ符号を利用した誤り訂正符号化を行う。また、情報源符号化の符号化率の変更は、映像データに関しては、例えばフレーム数及び離散コサイン変換（ＤＣＴ）係数を変更ことにより実現される。この結果、ビットレートが制御される。
【００７５】
また、基地局装置７は、図１７に示すように、ネットワークインタフェース７１、送信部１００、受信部４００、アンテナ７０、及びデュプレクサ７８を備える。送信部１００及び受信部４００は、図１と同様に構成される。具体的には、図１７に示す変調装置７３は、ネットワークインタフェースを介して受信した多重化ストリームに対して第２の誤り訂正符号化及び変調を施す。制御装置７４は、無線伝送路の伝送路品質と識別情報に基づいて、第２の誤り訂正符号化の符号化方式及び変調の変調方式をパケット毎に制御する。
【００７６】
端末装置８は、図１８に示すように、送信部１、受信部４、アンテナ２、デュプレクサ３、プロセッサ８１、プロセッサ制御装置８９、及びバスライン８８等を備える。送信部１、受信部４、プロセッサ８１、及びプロセッサ制御装置８９は、バスライン８８に接続される。送信部１及び受信部４は図１と同様に構成される。プロセッサ８１は、受信部４からバスライン８８を介して伝達される受信信号を誤り訂正復号する。
【００７７】
端末装置８は、ビデオダウンロード機能、ビデオ・画像加工機能、ＴＶ電話機能、ゲーム機能を有しており、これらの機能はソフトウェアで記述され、プロセッサ８１で実行される。ソフトウェアを動作させるプロセッサ８１は、同時にさまざまな機能を実行するためには、各機能に割り当て可能なプロセッサ８１の処理量は状況に応じて変化する。この処理の割り当てをプロセッサ制御装置８９が行っている。
【００７８】
例えば、端末装置８が、ビデオダウンロードのみを実行している場合と、ビデオダウンロードの実行中に、ビデオや画像の加工などの処理が入る場合では、ビデオダウンロードに割り当て可能な演算量は異なる。すなわち、ビデオダウンロードを行う場合、伝送誤りを補償するために、誤り訂正部８１１で誤り訂正復号を行ない、訂正されたビット列を蓄積器に収容し、ビデオを表示器に表示する場合は、蓄積器のビット列をコーデック８１２によりビデオ情報に変換した後、ビデオ表示器で表示する。
【００７９】
したがって、プロセッサ制御装置８９は、プロセッサ８１の演算処理量を監視し、演算処理量とプロセッサ８１の許容演算処理能力とを比較し、比較結果に応じて図１５に示す基地局装置７を介してサーバ装置５に対して、図１６に示す情報源符号化部５１２の符号化方式及び符号化パラメータ、誤り訂正符号化部５１３の符号化方式及び訂正能力のいずれか、あるいは、いずれかの組み合わせを制御する制御信号を送信する。
【００８０】
また、プロセッサ制御装置８９は、以下の条件（１）〜（３）に応じた操作を行う。  条件（１）は、誤り訂正能力の低下、すなわち、誤り訂正後の残留誤りが許容される場合である。この場合、以下の方法１−１〜１−３の操作が行われる。方法１−１：端末装置８でターボ符号の反復回数を減らし演算量を削減させる。但し、誤り訂正能力が下がるため、復号結果に残留ビット誤りが存在する場合もある。方法１−２：サーバ装置５でターボ符号の符号化を行う際の状態数を減らす。状態数を減らすと、端末装置８のターボ復号で、演算量が減少する。但し、誤り訂正能力が下がるため、復号結果に残留ビット誤りが存在する場合もある。方法１−３：サーバ装置５で、誤り訂正符号をターボ符号よりも復号処理量の少ない符号、例えば、リードソロモン符号に変更して、符号化し送信する。端末装置８は、例えばリードソロモン復号を行うが、ターボ符号の場合よりも演算量が減少する。但し、誤り訂正能力が下がるため、復号結果に残留ビット誤りが存在する場合もある。
【００８１】
条件（２）は、ビデオダウンロードに時間遅延が許容される場合である。この場合、以下の方法２−１〜２−３の操作が行われる。方法２−１：端末装置８でターボ符号の反復回数を減らし演算量を削減させる。もしも、誤り訂正能力が下がるため、復号結果に残留ビット誤りが存在する場合は、サーバ装置５に、正しく受信できなかったことを通知し、サーバ装置５は蓄積器に収容されたビット列を誤り訂正符号化の後、再送信を実行する。方法２−２：サーバ装置５でターボ符号の符号化を行う際の状態数を減らす。状態数を減らすと、端末装置８のターボ復号で、演算量が減少する。しかしながら、誤り訂正能力が下がるため、復号結果に残留ビット誤りが存在する場合は、サーバ装置５に、正しく受信できなかったことを通知し、サーバ装置５は再送信を実行する。方法２−３：サーバ装置５で、誤り訂正符号をターボ符号よりも復号処理量の少ない符号、例えば、リードソロモン符号に変更して、符号化し送信する。端末装置８は、例えばリードソロモン復号を行うが、ターボ符号の場合よりも演算量が減少する。しかしながら、誤り訂正能力が下がるため、復号結果に残留ビット誤りが存在する場合は、サーバ装置５に、正しく受信できなかったことを通知し、サーバ装置５は再送信を実行する。
【００８２】
条件（３）は、再生ビデオの解像度品質の劣化が許容される場合である。この場合、以下の方法３−１〜３−３の操作が行われる。方法３−１：サーバ装置５で情報源符号化の情報圧縮性能の変更が可能で、ビデオのレート制御が可能な場合は、レートを落とし、情報量を少なくし、その分、ターボ符号で誤り訂正符号化を行う際に付加するパリティビット数を増やす。この操作により、端末装置８でターボ復号する際の誤り訂正能力が向上し、反復回数が削減され、演算量が減少する。しかし、ビデオのレートが下がっているため、再生画像の解像度は落ちている。方法３−２：サーバ装置５で情報源符号化の情報圧縮性能の変更が可能で、ビデオのレート制御が可能な場合は、レートを落とし、情報量を少なくする。そして、誤り訂正符号として、復号処理の少ない符号、例えば、リードソロモン符号を選択し、誤り訂正符号化を行う。この際、ビデオのレートが落ちた分、リードソロモン符号で誤り訂正符号化を行う際に付加するパリティビット数を増やす。この操作により、端末装置８でリードソロモン復号する際の誤り訂正能力を維持したまま、演算量が減少する。しかし、ビデオのレートが下がっているため、再生画像の解像度は落ちている。 
上記は、ビデオダウンロード中に、ビデオや画像の加工などの処理が入る場合を例に説明したが、これには限定されない。例えば、ＴＶ電話中に、他の処理を同時に行うという例もある。通常ＴＶ電話は、リアルタイム性が要求されるため、上記の２−１、２−２、２−３の方法は採用せずに、それら以外の方法が採用される。
【００８３】
復号処理量が多いが、誤り訂正能力の高い符号としてターボ符号、復号処理量の少ない符号としてリードソロモン符号を例にあげたが、これらには限定されない。例えば、ＬＤＰＣ符号も復号処理量が多いが、訂正能力の高い符号であり、採用でき、また、復号処理量の少ない符号としては、連接を行わない畳み込み符号、ＢＣＨ符号等も採用できる。
【００８４】
次に、図１９に示すフローチャートを参照して、第２実施形態に係るサーバ装置５の送信動作の一例を説明する。基地局装置７の動作については、図８に示すステップＳ１３〜Ｓ１７の動作と同様であるので、重複する説明を省略する。
【００８５】
（イ）ステップＳ４１において、図１６に示す読み出し制御部５１１は、データ記憶装置５２からマルチメディアデータを読み出す。
【００８６】
（ロ）ステップＳ４２において、情報源符号化部５１２は、読み出されたマルチメディアデータを情報源符号化する。
【００８７】
（ハ）ステップＳ４３において、誤り訂正符号化部５１３は、情報源符号化されたマルチメディアデータに第１の誤り訂正符号化を施す。この結果、複数種類の入力ストリームが生成される。
【００８８】
（ニ）ステップＳ４４において、多重化部５１４は、複数種類の入力ストリームの種類を識別する識別情報を含むヘッダがそれぞれ付加された複数種類のパケットを生成し、複数種類のパケットを多重化して多重化ストリームを生成する。更に、ステップＳ４５において、多重化ストリームが、図１５に示す通信網６を介して基地局装置７に送信される。尚、基地局装置７は端末装置８に対して多重化ストリームを送信する。
【００８９】
（ホ）ステップＳ４６において、制御部５１５は、端末装置８から基地局装置７を介して制御信号が転送されたか否か、即ち、情報源符号化及び第１の誤り訂正符号化における符号化方式の変更要求がなされたか判定する。符号化方式の変更要求がなされた場合、ステップＳ４７に進む。送信終了まで符号化方式の変更要求がなされない場合、ステップＳ４６に進む。
【００９０】
（ヘ）ステップＳ４７において、制御部５１５は、誤り訂正符号化部５１３におけるターボ符号の符号化を行う際の状態数を減少させる。或いは、制御部５１５は、誤り訂正符号をターボ符号よりも復号処理量の少ないＲＳ符号に変更する。
【００９１】
（ト）ステップＳ４２において、制御部５１５は、端末装置８から多重化ストリームの再送要求を受信したか否か判定する。再送要求を受信した場合、ステップＳ４１に処理が戻る。再送要求を受信しない場合、送信動作が終了する。
【００９２】
次に、図２０に示すフローチャートを参照して、第２実施形態に係る端末装置８の受信動作の一例を説明する。但し、第１実施形態に係る無線通信装置の受信動作と重複する動作については、重複する説明を省略する。
【００９３】
（イ）ステップＳ５１において、図１８に示す受信部４は、アンテナ２が受信した受信信号をダウンコンバートする。ステップＳ５２において、受信部４は、ダウンコンバートされた受信信号を復調する。復調された受信信号は、バスライン８８を介してプロセッサ８１に伝達される。
【００９４】
（ロ）ステップＳ５３において、誤り訂正部８１１は、ターボ符号を利用した反復演算により、復調された受信信号を誤り訂正復号する。
【００９５】
（ハ）ステップＳ５４において、図１８に示すプロセッサ制御装置８９は、誤り訂正復号処理中に、映像又は静止画像の加工、テレビ電話、又はゲーム等のマルチメディア処理が開始されたか否か判定する。誤り訂正復号処理中にマルチメディア処理が開始された場合、ステップＳ５５に進む。マルチメディア処理が開始されない場合、ステップＳ５８に進む。
【００９６】
（ニ）ステップＳ５５において、プロセッサ制御装置８９は、サーバ装置５に対して、情報源符号化及び第１の誤り訂正符号化における符号化方式を制御する制御信号を送信する。或いは、プロセッサ制御装置８９は、誤り訂正部８１１に対して、例えばＲＳ復号を行うように制御する、又はターボ符号の反復回数を減少させるように制御する。
【００９７】
（ホ）ステップＳ５６において、再送信要求部８１７は、誤り訂正部８１１による誤り訂正復号の結果に残留ビット誤りが存在するか否か判定する。誤り訂正復号の結果に残留ビット誤りが存在すると判定された場合、ステップＳ５７に進む。ステップＳ５７において、再送信要求部８１７は、サーバ装置５に対して正しく受信できなかったことを通知して再送信を要求する。誤り訂正復号の結果に残留ビット誤りが存在しないと判定された場合、ステップＳ５８に進む。
【００９８】
（ヘ）ステップＳ５８において、分離部８１９は、各ＴＳパケットのペイロードに含まれるメディアの種類を判断する。ステップＳ５９において、分離部８１９は、各ＴＳパケットから映像ストリーム及び音声／オーディオストリームを抽出する。
【００９９】
（ト）ステップＳ６０において、コーデック８１２は、映像ストリーム及び音声／オーディオストリームを復号化して映像データ及び音声／オーディオデータを生成する。映像データ及び音声／オーディオデータは、バスライン８８を介してシステムメモリ８７に一旦格納され、その後、例えば表示装置８５及び出力装置８４等に伝達される。
【０１００】
このように、第２実施形態によれば、最適な状態で多重化ストリームを伝送可能であり、端末装置８内部のプロセッサ８１の演算処理量に応じて、サーバ装置５における情報源符号化及び第１の誤り訂正符号化の符号化方式を制御できる。更に、第１実施形態と同様に、無線伝送中に、無線伝送路の伝送路品質を推定し、推定結果に基づいて各メディアのＱｏＳに応じた伝送方式を適応的に設定しているため、最適な状態で多重化ストリームを伝送できる。例えば、同一の伝送路推定値βについて、音声／オーディオストリームを格納したＴＳパケットと、映像ストリームを格納したＴＳパケットとでは、異なる適応変調を施すことが可能となる。
【０１０１】
（その他の実施形態）
上記のように、本発明は第１及び第２実施形態によって記載したが、この開示の一部をなす論述及び図面はこの発明を限定するものであると理解すべきではない。この開示から当業者には様々な代替実施形態、実施例及び運用技術が明らかとなろう。
【０１０２】
上述した第１実施形態、第１実施形態の第２変形例、第１実施形態の第３変形例、及び第２実施形態においては、ＭＰＥＧ２−ＴＳを利用する一例を説明し、第１実施形態の第１変形例においてはＲＴＰを利用する一例を説明した。しかしながら、第１実施形態、第１実施形態の第２変形例、第１実施形態の第３変形例、及び第２実施形態においてもＲＴＰを利用可能である。更に、ＭＰＥＧ２−ＴＳ及びＲＴＰに限定されるものではなく、パケットによる多重化を行う伝送規格であれば良い。
【０１０３】
第２実施形態においては、復号処理量が多いが、誤り訂正能力の高い符号としてターボ符号、復号処理量の少ない符号としてＲＳ符号を例に挙げた。しかしながら、ＬＤＰＣ符号も復号処理量が多いが、訂正能力の高い符号であり、復号処理量の少ない符号としては、連接を行わない畳み込み符号又はＢＣＨ符号等も採用できる。
【０１０４】
このように本発明は、ここでは記載していない様々な実施形態等を包含するということを理解すべきである。したがって、本発明はこの開示から妥当な特許請求の範囲の発明特定事項によってのみ限定されるものである。
【図面の簡単な説明】
【０１０５】
【図１】本発明の第１実施形態に係る無線通信装置の構成を示すブロック図である。
【図２】本発明の第１実施形態に係る多重化ストリームの一例を示す模式図である。
【図３】本発明の第１実施形態に係る多重化ストリームの一例を示す模式図である。
【図４】図４（ａ）は、本発明の第１実施形態に係る多重化ストリームに利用されるプログラム・アソシエーション・テーブルの一例を示す模式図であり、図４（ｂ）は、本発明の第１実施形態に係る多重化ストリームに利用されるコンディショナル・アソシエーション・テーブルの一例を示す模式図である。
【図５】本発明の第１実施形態に係る多重化ストリームに利用されるプログラム・アソシエーション・テーブルの一例を示す模式図である。
【図６】本発明の第１実施形態に係る多重化ストリームに利用されるプログラム・アソシエーション・テーブルの一例を示す模式図である。
【図７】図７（ａ）は本発明の第１実施形態に係る第１テーブルの構成を示す模式図であり、図７（ｂ）は本発明の第１実施形態に係る第２テーブルの構成を示す模式図である。
【図８】本発明の第１実施形態に係る無線通信装置の送信動作の一例を示すフローチャートである。
【図９】本発明の第１実施形態に係る無線通信装置の受信動作の一例を示すフローチャートである。
【図１０】本発明の第１実施形態の第１変形例に係る多重化ストリームの一例を示す模式図である。
【図１１】本発明の第１実施形態の第２変形例に係る変調装置の構成を示すブロック図である。
【図１２】本発明の第１実施形態の第３変形例に係る変調装置の構成を示すブロック図である。
【図１３】本発明の第１実施形態の第３変形例に係る誤り訂正符号化器の構成を示すブロック図である（その１）。
【図１４】本発明の第１実施形態の第３変形例に係る誤り訂正符号化器の構成を示すブロック図である（その２）。
【図１５】本発明の第２実施形態に係る送信システムの構成を示すブロック図である。
【図１６】本発明の第２実施形態に係るサーバ装置の構成を示すブロック図である。
【図１７】本発明の第２実施形態に係る基地局装置の構成を示すブロック図である。
【図１８】本発明の第２実施形態に係る端末装置の構成を示すブロック図である。
【図１９】本発明の第２実施形態に係るサーバ装置の送信動作を示すフローチャートである。
【図２０】本発明の第２実施形態に係る端末装置の受信動作を示すフローチャートである。
【符号の説明】
【０１０６】
５…サーバ装置
７…基地局装置
８…端末装置
９…無線伝送路
１３…多重化装置
１５ａ〜１５ｃ，７４…制御装置
１７，７６…伝送路推定装置
７２…多重化装置
８１…プロセッサ
８９…プロセッサ制御装置
１４１ａ，１４１ｂ…変換装置
１４２ａ，１４２ｂ，１４２ｃ…誤り訂正符号化器
１４３ａ，１４３ｂ…マッピング装置
５１２…情報源符号化部（情報源符号化装置）
５１３…誤り訂正符号化部（誤り訂正符号化装置）
５１４…多重化部（多重化装置）
５１５…制御部（制御装置）
８１６…再送信要求部
【図１】
2006222566.tif 000019
【図２】
2006222566.tif 000020
【図３】
2006222566.tif 000021
【図４】
2006222566.tif 000022
【図５】
2006222566.tif 000023
【図６】
2006222566.tif 000024
【図７】
2006222566.tif 000025
【図８】
2006222566.tif 000026
【図９】
2006222566.tif 000027
【図１０】
2006222566.tif 000028
【図１１】
2006222566.tif 000029
【図１２】
2006222566.tif 000030
【図１３】
2006222566.tif 000031
【図１４】
2006222566.tif 000032
【図１５】
2006222566.tif 000033
【図１６】
2006222566.tif 000034
【図１７】
2006222566.tif 000035
【図１８】
2006222566.tif 000036
【図１９】
2006222566.tif 000037
【図２０】
2006222566.tif 000038